(57)【要約】【課題】携帯端末が画像処理装置に要求するジョブを実行した際に起こり得る事象をユーザに認識させる。【解決手段】タブレット３０００は、取得されたジョブ管理情報、及び画像処理装置に要求するジョブが用いるリソースから、要求するジョブを画像処理装置で実行した際に前記リソースに関するエラーが発生する可能性があるか否かを解析する。そして、リソースに関するエラーが発生する可能性があると解析されると、当該エラーが発生する可能性があることをユーザに対して明示する。【選択図】図１２
2013251847.tif 000002
【特許請求の範囲】
【請求項１】
複数のリソースを用いて画像処理のジョブを実行する画像処理装置と通信可能であり、前記画像処理装置にジョブの実行を要求する携帯端末であって、
前記画像処理装置において実行中のジョブが用いる前記リソースに係るジョブ管理情報を前記画像処理装置に要求するジョブ管理情報要求手段と、
前記ジョブ管理情報要求手段による要求に応じて前記画像処理装置から送信された前記ジョブ管理情報を取得する取得手段と、
前記取得手段により取得された前記ジョブ管理情報、及び前記画像処理装置に要求するジョブが用いる前記リソースから、前記要求するジョブを前記画像処理装置で実行した際に前記リソースに関するエラーが発生する可能性があるか否かを解析する解析手段と、
前記解析手段により前記リソースに関するエラーが発生する可能性があると解析されると、当該エラーが発生する可能性があることをユーザに対して明示する明示手段と
を有することを特徴とする携帯端末。
【請求項２】
前記複数のリソースのうちの１つは、印刷するジョブにおいて用紙を給紙する給紙段であり、前記ジョブ管理情報は、前記実行中のジョブが使用する給紙段を示す給紙段情報、及び当該給紙段における用紙残量を示す用紙残量情報を含むことを特徴とする請求項１記載の携帯端末。
【請求項３】
前記要求するジョブを前記画像処理装置で実行した際に前記リソースに関するエラーが、前記給紙段における用紙切れであるときは、前記明示手段は、用紙切れが発生する可能性があることとともに、用紙の補給を促す内容を明示することを特徴とする請求項２記載の携帯端末。
【請求項４】
前記解析手段は、前記取得手段により取得された前記ジョブ管理情報、及び前記画像処理装置に要求するジョブが用いる前記リソースから、前記要求するジョブが用いるリソースのうち、前記実行中のジョブが利用していないリソースを解析し、
前記明示手段は、前記解析手段により解析された前記実行中のジョブが利用していないリソースに関する情報をさらに明示することを特徴とする請求項１乃至請求項３のいずれか１項に記載の携帯端末。
【請求項５】
複数のリソースを用いて画像処理のジョブを実行する画像処理装置と通信可能であり、前記画像処理装置にジョブの実行を要求する携帯端末の制御方法であって、
前記画像処理装置において実行中のジョブが用いる前記リソースに係るジョブ管理情報を前記画像処理装置に要求するジョブ管理情報要求ステップと、
前記ジョブ管理情報要求ステップによる要求に応じて前記画像処理装置から送信された前記ジョブ管理情報を取得する取得ステップと、
前記取得ステップにより取得された前記ジョブ管理情報、及び前記画像処理装置に要求するジョブが用いる前記リソースから、前記要求するジョブを前記画像処理装置で実行した際に前記リソースに関するエラーが発生する可能性があるか否かを解析する解析ステップと、
前記解析ステップにより前記リソースに関するエラーが発生する可能性があると解析されると、当該エラーが発生する可能性があることをユーザに対して明示する明示ステップと
を有することを特徴とする制御方法。
【請求項６】
複数のリソースを用いて画像処理のジョブを実行する画像処理装置と通信可能であり、前記画像処理装置にジョブの実行を要求する携帯端末の制御方法をコンピュータに実行させるためのプログラムであって、
前記制御方法は、
前記画像処理装置において実行中のジョブが用いる前記リソースに係るジョブ管理情報を前記画像処理装置に要求するジョブ管理情報要求ステップと、
前記ジョブ管理情報要求ステップによる要求に応じて前記画像処理装置から送信された前記ジョブ管理情報を取得する取得ステップと、
前記取得ステップにより取得された前記ジョブ管理情報、及び前記画像処理装置に要求するジョブが用いる前記リソースから、前記要求するジョブを前記画像処理装置で実行した際に前記リソースに関するエラーが発生する可能性があるか否かを解析する解析ステップと、
前記解析ステップにより前記リソースに関するエラーが発生する可能性があると解析されると、当該エラーが発生する可能性があることをユーザに対して明示する明示ステップと
を有することを特徴とするプログラム。
【請求項７】
複数のリソースを用いて画像処理のジョブを実行するとともに、前記ジョブの実行を要求する携帯端末と通信可能な画像処理装置であって、
実行中のジョブが用いる前記リソースに係るジョブ管理情報を記憶する記憶手段と、
前記携帯端末から前記ジョブ管理情報が要求されると、前記記憶手段により記憶された前記ジョブ管理情報を、前記ジョブ管理情報を要求した携帯端末に送信する送信手段と
を有することを特徴とする画像処理装置。
【請求項８】
複数のリソースを用いて画像処理のジョブを実行するとともに、前記ジョブの実行を要求する携帯端末と通信可能な画像処理装置の制御方法であって、
実行中のジョブが用いる前記リソースに係るジョブ管理情報を記憶する記憶ステップと、
前記携帯端末から前記ジョブ管理情報が要求されると、前記記憶ステップにより記憶された前記ジョブ管理情報を、前記ジョブ管理情報を要求した携帯端末に送信する送信ステップと
を有することを特徴とする制御方法。
【請求項９】
複数のリソースを用いて画像処理のジョブを実行するとともに、前記ジョブの実行を要求する携帯端末と通信可能な画像処理装置の制御方法をコンピュータに実行させるためのプログラムであって、
前記制御方法は、
実行中のジョブが前記ジョブで用いる前記リソースに係るジョブ管理情報を記憶する記憶ステップと、
前記携帯端末から前記ジョブ管理情報が要求されると、前記記憶ステップにより記憶された前記ジョブ管理情報を、前記ジョブ管理情報を要求した携帯端末に送信する送信ステップと
を有することを特徴とするプログラム。
【請求項１０】
複数のリソースを用いて画像処理のジョブを実行する画像処理装置と、当該画像処理装置と通信可能であり、前記画像処理装置にジョブの実行を要求する携帯端末とを含む画像処理システムであって、
前記画像処理装置は、実行中のジョブが用いる前記リソースに係るジョブ管理情報を記憶する記憶手段と、
前記携帯端末から前記ジョブ管理情報が要求されると、前記記憶手段により記憶された前記ジョブ管理情報を、前記ジョブ管理情報を要求した携帯端末に送信する送信手段と
を有し、
前記携帯端末は、前記ジョブ管理情報を前記画像処理装置に要求するジョブ管理情報要求手段と、
前記ジョブ管理情報要求手段による要求に応じて前記画像処理装置から送信された前記ジョブ管理情報を取得する取得手段と、
前記取得手段により取得された前記ジョブ管理情報、及び前記画像処理装置に要求するジョブが用いる前記リソースから、前記要求するジョブを前記画像処理装置で実行した際に前記リソースに関するエラーが発生する可能性があるか否かを解析する解析手段と、
前記解析手段により前記リソースに関するエラーが発生する可能性があると解析されると、当該エラーが発生する可能性があることをユーザに対して明示する明示手段と
を有することを特徴とする画像処理システム。
【発明の詳細な説明】
【技術分野】
【０００１】
本発明は、携帯端末及び画像処理装置、その制御方法、並びにプログラム、画像処理システムに関する。
【背景技術】
【０００２】
従来より、印刷装置の消耗品残量及び処理能力に基づいて印刷処理進捗状況を予測することで、印刷処理中のジョブ状況について、ジョブを投入した外部ホスト装置に通知する技術が知られている（例えば、特許文献１参照）。
【０００３】
また、ユーザ認証を行うことで、他者のジョブ状況を参照できないようにして、セキュリティを高めることが可能になっている（例えば、特許文献２参照）。
【先行技術文献】
【特許文献】
【０００４】
【特許文献１】特開平１１−１５７１７４号公報
【特許文献２】特開２０１０−２５２０３３号公報
【発明の概要】
【発明が解決しようとする課題】
【０００５】
しかしながら、特許文献１に開示された技術では、印刷処理中のジョブ状況は、ジョブ処理中の印刷装置の表示手段、または当該ジョブを投入した外部ホスト装置でのみ確認できる。
【０００６】
そのため、当該ジョブを投入した外部ホスト装置と別の外部ホスト装置で新規にジョブを投入する場合に、処理中のジョブが自ジョブに対してどのように影響するか、予め知ることができないという問題があった。
【０００７】
また、特許文献２に開示された技術では、印刷処理中のジョブ状況は、ジョブを投入したユーザのみ参照できる。
【０００８】
そのため、別のユーザが新規にジョブを投入する場合に、他者が投入した処理中のジョブが自ジョブに対してどのように影響するか、予め知ることができないという問題があった。
【０００９】
本発明の目的は、携帯端末が画像処理装置に要求するジョブを実行した際に起こり得る事象をユーザに認識させることが可能な携帯端末及び画像処理装置、その制御方法、並びにプログラム、画像処理システムを提供することにある。
【課題を解決するための手段】
【００１０】
上記目的を達成するために、請求項１の携帯端末は、複数のリソースを用いて画像処理を実行すると通信可能であり、前記画像処理装置に画像処理の実行を要求する携帯端末であって、前記画像処理装置において実行中のジョブが前記画像処理で用いる前記リソースに係るジョブ管理情報を前記画像処理装置に要求するジョブ管理情報要求手段と、前記ジョブ管理情報要求手段による要求に応じて前記画像処理装置から送信された前記ジョブ管理情報を取得する取得手段と、前記取得手段により取得された前記ジョブ管理情報、及び前記画像処理装置に要求する画像処理が用いる前記リソースから、前記要求する画像処理を前記画像処理装置で実行した際に前記リソースに関するエラーが発生する可能性があるか否かを解析する解析手段と、前記解析手段により前記リソースに関するエラーが発生する可能性があると解析されると、当該エラーが発生する可能性があることをユーザに対して明示する明示手段とを有することを特徴とする。
【発明の効果】
【００１１】
本発明によれば、携帯端末が画像処理装置に要求するジョブを実行した際に起こり得る事象をユーザに認識させることが可能な携帯端末及び画像処理装置、その制御方法、並びにプログラム、画像処理システムを提供することができる。
【図面の簡単な説明】
【００１２】
【図１】本発明の実施の形態に係るＭＦＰを含む画像処理システムの概略構成を示す図である。
【図２】図１におけるＭＦＰのハードウェア構成を示す図である。
【図３】図１におけるＭＦＰの機能構成を示す図である。
【図４】図１におけるＰＣのハードウェア構成を示す図である。
【図５】図１におけるＰＣの機能構成を示す図である。
【図６】図１におけるタブレットのハードウェア構成を示す図である。
【図７】図１におけるタブレットの機能構成を示す図である。
【図８】図２におけるＭＦＰのＨＤＤに記憶されたジョブ情報管理テーブルを示す図である。
【図９】図６におけるタブレットの操作部に表示される印刷実行画面の一例を示す図である。
【図１０】図６におけるタブレットの操作部に表示されるジョブ状況画面の一例を示す図である。
【図１１】図２におけるＭＦＰのＣＰＵにより実行されるジョブ管理情報記憶処理の手順を示すフローチャートである。
【図１２】図６におけるタブレットのＣＰＵにより実行されるジョブ情報表示処理の手順を示すフローチャートである。
【図１３】図２におけるＭＦＰのＣＰＵにより実行されるジョブ管理情報送信処理の手順を示すフローチャートである。
【発明を実施するための形態】
【００１３】
以下、本発明の実施の形態について図面を参照しながら詳述する。なお、本実施の形態では、本発明に係る画像処理装置をＭＦＰと表現する。
【００１４】
図１は、本発明の実施の形態に係るＭＦＰ１０００を含む画像処理システム１００の概略構成を示す図である。
【００１５】
図１において、画像処理システム１００は、ＭＦＰ１０００（画像処理装置）、ＰＣ２０００、及びタブレット３０００（携帯端末）で構成され、それらは無線または有線でネットワーク４０００に接続されている。このネットワーク４０００を介して、ＭＦＰ１０００、ＰＣ２０００、及びタブレット３０００は相互に通信可能となっている。
【００１６】
ＰＣ２０００またはタブレット３０００は、プリンタドライバ、ＷＥＢブラウザ上で動作するＲＵＩ（Remote User Interface）、または専用のアプリケーションによって印刷ジョブを生成してＭＦＰ１０００へ送信する。
【００１７】
また、ＰＣ２０００またはタブレット３０００は、ＭＦＰ１０００に対してスキャンジョブ、ＭＦＰ１０００に記憶されているドキュメントデータを操作するＢＯＸジョブの指示を行うこともできる。
【００１８】
さらに、ＰＣ２０００またはタブレット３０００は、ＭＦＰ１０００に送信した印刷ジョブ、スキャンジョブ、ＢＯＸジョブのジョブ情報を取得して表示することができる。
【００１９】
図２は、図１におけるＭＦＰ１０００のハードウェア構成を示す図である。
【００２０】
図２において、ＭＦＰ１０００は、コントローラ１１００、操作部１１０９、スキャナ１１１０、及びプリンタ１１１１を含む。
【００２１】
操作部１１０９は、図示しない各種ボタンやタッチパネルなどを備え、ユーザによる操作が可能で、またユーザに対して情報を表示する。
【００２２】
スキャナ１１１０は、原稿の画像を読取り、その画像を示す画像データを生成する。この画像データは、デバイスＩ／Ｆ１１０７によりコントローラ１１００に送信される。
【００２３】
プリンタ１１１１はコントローラ１１００からデバイスＩ／Ｆ１１０８により送信された画像データを紙面に印刷を行う。
【００２４】
コントローラ１１００は、ＣＰＵ１１０１、ＲＡＭ１１０２、操作部Ｉ／Ｆ１１０３、ネットワークＩ／Ｆ１１０４、ＲＯＭ１１０５、ＨＤＤ１１０６、及びデバイスＩ／Ｆ１１０７，１１０８を含み、それらは内部バス１１１２で接続される。
【００２５】
ＣＰＵ１１０１は、ＲＯＭ１１０５またはＨＤＤ１１０６に記憶されている各種プログラムを実行することによって各種処理を実行する。ＲＡＭ１１０２は、ＣＰＵ１１０１が動作するために必要なワークメモリとして利用される。またＲＡＭ１１０２には各種データを一時的に記憶することができる。ＨＤＤ１１０６は、ＲＡＭ１１０２にロードするプログラムや各種データを記憶することができる。
【００２６】
操作部Ｉ／Ｆ１１０３は、操作部１１０９とコントローラ１１００とのインタフェースであり、ユーザが操作部１１０９を操作すると、その操作に対応する情報をコントローラ１１００へ送信する。また、コントローラ１１００が操作部１１０９に表示させるために出力した各種ステータスなどの情報を操作部１１０９に送信する。
【００２７】
ネットワークＩ／Ｆ１１０４は、ネットワーク４０００とＭＦＰ１０００とのインタフェースである。デバイスＩ／Ｆ１１０７は、コントローラ１１００とスキャナ１１１０とのインタフェースである。デバイスＩ／Ｆ１１０８は、コントローラ１１００とプリンタ１１１１とのインタフェースである。
【００２８】
図３は、図１におけるＭＦＰ１０００の機能構成を示す図である。
【００２９】
図３において、ＭＦＰ１０００は、ジョブ生成部１０５、ジョブ制御部１０８、ジョブ情報表示制御部１０６、及びユーザ認証部１０７で構成される。
【００３０】
ジョブ生成部１０５は、操作部１１０９でユーザにより指示されたコピージョブ、スキャンジョブ、ＢＯＸジョブ、ＦＡＸジョブなどのジョブを生成する。
【００３１】
ジョブ制御部１０８は、ジョブ生成部１０５で生成されたコピージョブ、スキャンジョブ、ＢＯＸジョブ、ＦＡＸジョブ、及びネットワーク４０００から受信した印刷ジョブに対する各種制御を行う。ジョブ情報表示制御部１０６は、操作部１１０９に表示するジョブ情報の表示制御を行う。
【００３２】
ユーザ認証部１０７は、ユーザ認証処理を行う。この認証処理は、操作部１１０９から入力されたユーザ情報と、ＨＤＤ１１０６またはＲＯＭ１１０５に記憶されたユーザ情報とを照合することで行われる。なお、入力されたユーザ情報と照合するユーザ情報は、サーバなどの外部装置で管理するようにしてもよい。また、操作部１１０９から入力されるユーザ情報は、カードリーダなどから取得されたユーザ情報としてもよい。
【００３３】
図４は、図１におけるＰＣ２０００のハードウェア構成を示す図である。
【００３４】
図４において、ＰＣ２０００は、コントローラ１２００、及び操作部１２０７を含む。
【００３５】
操作部１２０７は、図示しない各種ボタンやディスプレイなどを備え、ユーザによる操作が可能で、またユーザに対して情報を表示する。
【００３６】
コントローラ１２００は、ＣＰＵ１２０１、ＲＡＭ１２０２、操作部Ｉ／Ｆ１２０３、ネットワークＩ／Ｆ１２０４、ＲＯＭ１２０５、及びＨＤＤ１２０６を含み、それらは内部バス１２０８で接続される。
【００３７】
ＣＰＵ１２０１は、ＲＯＭ１２０５またはＨＤＤ１２０６に記憶されている各種プログラムを実行することによって各種処理を実行する。ＲＡＭ１２０２は、ＣＰＵ１２０１が動作するために必要なワークメモリとして利用される。またＲＡＭ１２０２には各種データを一時的に記憶することができる。ＨＤＤ１２０６は、ＲＡＭ１２０２にロードするプログラムや各種データを記憶することができる。
【００３８】
操作部Ｉ／Ｆ１２０３は操作部１２０７とコントローラ１２００とのインタフェースであり、ユーザが操作部１２０７を操作すると、その操作に対応する情報をコントローラ１２００へ送信する。また、コントローラ１２００が操作部１２０７に表示させるために出力した各種ステータスなどの情報を操作部１２０７に送信する。
【００３９】
ネットワークＩ／Ｆ１２０４は、ネットワーク４０００とＰＣ２０００とのインタフェースである。
【００４０】
図５は、図１におけるＰＣ２０００の機能構成を示す図である。
【００４１】
図５において、ＰＣ２０００は、ジョブ生成部２０５、ジョブ情報表示制御部２０６、及びユーザ認証部２０７で構成される。
【００４２】
ジョブ生成部２０５は、プリンタドライバ、ＷＥＢブラウザ上で動作するＲＵＩ、または専用のアプリケーションによって印刷ジョブを生成する。ジョブ情報表示制御部２０６は、操作部１２０７に表示するジョブ情報の表示制御を行う。
【００４３】
ユーザ認証部２０７は、ユーザ認証処理を行う。この認証処理は、操作部１２０７から入力されたユーザ情報と、ＨＤＤ１２０６またはＲＯＭ１２０５に記憶されたユーザ情報とを照合することで行われる。なお、入力されたユーザ情報と照合するユーザ情報は、サーバなどの外部装置で管理するようにしてもよい。
【００４４】
図６は、図１におけるタブレット３０００のハードウェア構成を示す図である。
【００４５】
図６において、タブレット３０００は、コントローラ１３００、操作部１３０８、及びカメラ１３０９を含む。
【００４６】
操作部１２０７は、図示しない各種ボタンやタッチパネルなどを備え、ユーザによる操作が可能で、またユーザに対して情報を表示する。カメラ１３０９は、ＣＣＤなどの撮像素子や光学部材で構成され、被写体を撮影することで被写体を示す画像データを得る。この画像データは、デバイスＩ／Ｆ１３０７によりコントローラ１３００に送信される。
【００４７】
コントローラ１３００は、ＣＰＵ１３０１、ＲＡＭ１３０２、操作部Ｉ／Ｆ１３０３、ネットワークＩ／Ｆ１３０４、ＲＯＭ１３０５、及びＨＤＤ１３０６を含み、それらは内部バス１３１０で接続される。
【００４８】
ＣＰＵ１３０１は、ＲＯＭ１３０５またはＨＤＤ１３０６に記憶されている各種プログラムを実行することによって各種処理を実行する。ＲＡＭ１３０２は、ＣＰＵ１３０１が動作するために必要なワークメモリとして利用される。またＲＡＭ１３０２には各種データを一時的に記憶することができる。ＨＤＤ１３０６は、ＲＡＭ１３０２にロードするプログラムや各種データを記憶することができる。
【００４９】
操作部Ｉ／Ｆ１３０３は操作部１３０８とコントローラ１３００とのインタフェースであり、ユーザが操作部１３０８を操作すると、その操作に対応する情報をコントローラ１３００へ送信する。また、コントローラ１３００が操作部１３０８に表示させるために出力した各種ステータスなどの情報を操作部１３０８に送信する。
【００５０】
ネットワークＩ／Ｆ１３０４は、ネットワーク４０００とタブレット３０００とのインタフェースである。
【００５１】
図７は、図１におけるタブレット３０００の機能構成を示す図である。
【００５２】
図７において、タブレット３０００は、ジョブ生成部３０５、ジョブ情報表示制御部３０６、ユーザ認証部３０７、及び画像解析部３０９で構成される。
【００５３】
ジョブ生成部３０５は、プリンタドライバ、ＷＥＢブラウザ上で動作するＲＵＩ、または専用のアプリケーションによって印刷ジョブを生成する。ジョブ情報表示制御部３０６は、操作部１３０８に表示するジョブ情報の表示制御を行う。
【００５４】
ユーザ認証部３０７は、ユーザ認証処理を行う。この認証処理は、操作部１３０８から入力されたユーザ情報と、ＨＤＤ１３０６またはＲＯＭ１３０５に記憶されたユーザ情報とを照合することで行われる。なお、入力されたユーザ情報と照合するユーザ情報は、サーバなどの外部装置で管理するようにしてもよい。画像解析部３０９は、カメラ１３０９によって得られた画像データを解析する。
【００５５】
図８は、図２におけるＭＦＰ１０００のＨＤＤ１１０６に記憶されたジョブ情報管理テーブル８００を示す図である。
【００５６】
図８において、ジョブ情報管理テーブル８００は、ジョブＩＤ８０１に関連付けられたジョブ情報８０２、及びジョブＩＤ８０１に関連付けられた利用機器リソース情報８０８で構成される。ジョブＩＤ８０１は、ジョブを識別するための識別子である。
【００５７】
ジョブ情報８０２は、ユーザＩＤ８０３、ジョブ状況８０４、ジョブ種８０５、用紙サイズ８０６、及びモード８０７で構成される。
【００５８】
ユーザＩＤ８０３は、ユーザを識別するための識別子である。ジョブ状況８０４は、ジョブの処理状態やエラー状態を示している。ジョブ種８０５は、ジョブの種類を示している。用紙サイズ８０６は、ジョブで使用される用紙のサイズを示している。モード８０７は、両面／片面印刷、ステイプル、製本面付け、折り等のフィニッシングなど、ジョブで指定されている印刷面に関する内容及び印刷後の処理を示している。指定されたモードによって用紙の向きが限定される場合がある。
【００５９】
利用機器リソース情報８０８は、使用デバイス８０９、給紙段８１０、用紙残量８１１、及び排紙段８１２で構成される。
【００６０】
使用デバイス８０９は、本実施の形態における複数のリソースを示しており、ジョブで用いられるＭＦＰ１０００のデバイスを示している。給紙段８１０は、印刷するジョブにおいて用紙を給紙する給紙段を示している。用紙残量８１１は、給紙段８１０に示される給紙段の用紙の残量を示している。排紙段８１２は、ジョブで使用された用紙が排紙される排紙段を示している。
【００６１】
以上説明したジョブ情報管理テーブル８００に記憶されている情報を、以下の説明ではジョブ管理情報と表現する。また、ＭＦＰ１０００で行われるジョブとして、他の装置からネットワーク４０００を介して依頼された印刷ジョブ、ジョブ生成部１０５で生成されるコピージョブ、スキャンジョブ、ＢＯＸジョブ、ＦＡＸジョブなどが挙げられる。
【００６２】
このように、ジョブ管理情報は、ジョブが用いるリソースに係る情報であり、実行中のジョブが使用する給紙段を示す給紙段情報、及び当該給紙段における用紙残量を示す用紙残量情報を含んでいる。
【００６３】
以下、タブレット３０００の操作部１３０８に表示される画面例を説明した後、実際の処理についてフローチャートを用いて説明する。
【００６４】
図９は、図６におけるタブレット３０００の操作部１３０８に表示される印刷実行画面９００の一例を示す図である。
【００６５】
図９において、印刷実行画面９００は、実画像表示部９０１、及び実行指示表示部９０２で構成される。
【００６６】
このうち、実画像表示部９０１には、カメラ１３０９で撮影された画像と、ユーザへの通知情報を表示する通知情報９０７とが含まれる。同図に示される通知情報９０７は、あるＭＦＰへ接続中であることが示されている。また、カメラ１３０９で撮影された画像としてＭＦＰ本体が表示されている。
【００６７】
一方、実行指示表示部９０２には、印刷ジョブ（例えば印刷するファイル）を選択するためのテキストボックス、印刷実行指示のためのボタン類、及び設定情報などが表示される。
【００６８】
具体的に、実行指示表示部９０２には、詳細設定ボタン９０３、キャンセルボタン９０４、印刷ボタン９０５、情報取得ボタン９０６、ジョブ選択部９０８、部数設定部９０９、及び印刷範囲設定部９１０が含まれる。
【００６９】
ジョブ選択部９０８は、実行するために選択された印刷ジョブが入力、または表示されるテキストボックスである。部数設定部９０９は、実行する印刷ジョブで印刷される文書の部数を入力するためのテキストボックスである。
【００７０】
印刷範囲設定部９１０は、実行する印刷ジョブの印刷範囲を指定するためのラジオボタン及びテキストボックスである。情報取得ボタン９０６は、ジョブ管理情報を取得するためのボタンである。
【００７１】
印刷ボタン９０５は、印刷ジョブの実行を指示するボタンである。キャンセルボタン９０４は、実行をキャンセルするためのボタンである。
【００７２】
詳細設定ボタン９０３は、実行する印刷ジョブの詳細設定を行うためのボタンである。このボタンの押下により表示される詳細設定画面では、両面／片面、ステイプルの他に、製本面付け、折りなどのフィニッシング設定を行うことができる。
【００７３】
図１０は、図６におけるタブレット３０００の操作部１３０８に表示されるジョブ状況画面９１１の一例を示す図である。
【００７４】
図１０において、印刷実行画面９００と異なる点は、ユーザへのアドバイス情報１００３、及びジョブ状況表示部１００１が表示され、実行指示表示部１００２は実行指示表示部９０２と比較して表示内容が簡略化される点である。
【００７５】
アドバイス情報１００３は、後述する処理によって得られたユーザへのアドバイスを示している。また、ジョブ状況表示部１００１は上述したジョブ情報８０２の内容の一部が表示される。
【００７６】
同図では、アドバイス情報１００３として、ジョブ２が給紙段を使用しないことが表示されている。また、ジョブ１処理後にカセット（給紙段）１の用紙残量が低下して、ジョブ実行中に用紙切れが発生する可能性があるため、用紙補給を促すことが表示されている。
【００７７】
このように、要求するジョブを画像処理装置で実行した際にリソースに関するエラーが、給紙段における用紙切れであるときは、用紙切れが発生する可能性があることとともに、用紙の補給を促す内容を明示する。本実施の形態では、携帯端末が画像処理装置に要求するジョブを実行した際に起こり得る事象の１つは、上述したリソースに関するエラーとなっている。
【００７８】
さらに、ジョブ３がカセット３を使用するため、ジョブ３が実行中はカセット３への操作は行えないことが表示されている。
【００７９】
このように、ジョブ状況表示部１００１、及びアドバイス情報１００３には、処理中のジョブのユーザ情報やジョブの詳細内容が表示されないため、他ジョブのセキュリティは保持することができる。
【００８０】
また、本実施の形態では、タブレット３０００を例にしているが、ＰＣ２０００、または、ＭＦＰ１０００で実行指示される各ジョブ種の投入時においても同様にジョブ情報の表示を実施することが可能である。
【００８１】
図１１は、図２におけるＭＦＰ１０００のＣＰＵ１１０１により実行されるジョブ管理情報記憶処理の手順を示すフローチャートである。
【００８２】
図１１のジョブ管理情報記憶処理は、定期的に処理中のジョブがあるか否かを検知しているので、処理中のジョブが検知されると実質的な処理を行うものとなっている。
【００８３】
図１１において、処理中のジョブが検知されたときは（ステップＳ１０１でＹＥＳ）、ジョブ制御部１０８は、処理中のジョブの処理状況及びリソースの使用状況を解析する（ステップＳ１０２）。この解析により、処理中のジョブのジョブＩＤ８０１、ジョブ情報８０２、及び利用機器リソース情報８０８が得られる。
【００８４】
次いで、ジョブ制御部１０８は、解析結果をジョブ情報管理テーブル８００に記憶して（ステップＳ１０３）、ステップＳ１０１の処理に戻る。このステップＳ１０３は、実行中のジョブが用いるリソースに係るジョブ管理情報を記憶する記憶手段に対応する。
【００８５】
一方、処理中のジョブが検知されないときは（ステップＳ１０１でＮＯ）、そのまま処理を終了する。
【００８６】
上述した図１１のジョブ管理情報記憶処理により、ジョブ情報管理テーブル８００には最新のジョブ管理情報が記憶されるようになっている。
【００８７】
図１２は、図６におけるタブレット３０００のＣＰＵ１３０１により実行されるジョブ情報表示処理の手順を示すフローチャートである。
【００８８】
図１２において、操作部１３０８によりユーザからユーザ情報が入力されると、ユーザ認証部３０７は、ユーザ認証を行う（ステップＳ２０１）。ユーザ認証の後に、上述した印刷実行画面９００を操作部１３０８に表示する。
【００８９】
そして、情報取得ボタン９０６がユーザにより押下されると、ジョブ情報表示制御部３０６は、ＭＦＰ１０００へのジョブ管理情報を要求する（ステップＳ２０２）。このステップＳ２０２は、画像処理装置において実行中のジョブが用いるリソースに係るジョブ管理情報を画像処理装置に要求するジョブ管理情報要求手段に対応する。
【００９０】
この要求に応じてＭＦＰ１０００から送信されたジョブ管理情報を取得する（ステップＳ２０３）。このステップＳ２０３は、要求に応じて画像処理装置から送信されたジョブ管理情報を取得する取得手段に対応する。
【００９１】
次いで、ステップＳ２０４〜ステップＳ２０８までで、ジョブ情報表示制御部３０６は、取得したジョブ管理情報の解析処理を行う。ここでは、処理中のジョブＩＤ８０１毎に、ジョブ情報８０２と利用機器リソース情報８０８を、処理中のジョブ分だけ処理が繰り返される。
【００９２】
まず、取得したジョブ管理情報のうち、解析処理の対象となっていないジョブがあるか否か判別する（ステップＳ２０４）。
【００９３】
ステップＳ２０４の判別の結果、解析処理の対象となっていないジョブがあると判別されたときは（ステップＳ２０４でＹＥＳ）、以下の処理を行う。すなわち、解析処理の対象となっていないジョブを１つ定め、それを解析対象として、機器リソースが競合していないか否か判別する（ステップＳ２０５）。
【００９４】
ここでは、解析対象のジョブ、及び印刷実行画面９００で選択されている印刷ジョブにおけるジョブ種８０５、用紙サイズ８０６、モード８０７、使用デバイス８０９、給紙段８１０、及び排紙段８１２が競合していないか否かが判別される。
【００９５】
ステップＳ２０５の判別の結果、機器リソースが競合しているときは（ステップＳ２０５でＹＥＳ）、ステップＳ２０７に進む。
【００９６】
一方、ステップＳ２０５の判別の結果、機器リソースが競合していないときは（ステップＳ２０５でＮＯ）、以下の処理を行う。すなわち、ジョブ情報表示制御部３０６は、印刷実行画面９００で選択されている印刷ジョブで使用予定の機器リソースを利用可能機器リソース情報としてＲＡＭ１３０２に記憶する（ステップＳ２０６）。
【００９７】
利用可能機器リソース情報を記憶することにより、例えば、処理中のジョブがスキャンジョブである場合、印刷ジョブを実行するユーザに対して、給紙段への操作が可能であるという表示情報をジョブの実行に先だって提示することが可能になる。上記給紙段への操作とは、手差しトレイへの用紙設置やカセットの用紙サイズ交換などである。
【００９８】
次いで、ジョブ情報表示制御部３０６は、印刷実行画面９００で選択されている印刷ジョブの実行時に使用する機器リソースで、印刷ジョブの実行時にエラーが発生する可能性があるか否か判別する（ステップＳ２０７）。このステップＳ２０７、及び上記ステップＳ２０５は、取得されたジョブ管理情報、及び画像処理装置に要求するジョブが用いるリソースから、要求するジョブを画像処理装置で実行した際にリソースに関するエラーが発生する可能性があるか否かを解析する解析手段に対応する。また、上述したステップＳ２０５では、取得されたジョブ管理情報、及び画像処理装置に要求するジョブが用いるリソースから、要求するジョブが使用するリソースのうち、実行中のジョブが利用していないリソースを解析している。
【００９９】
上記ステップＳ２０７では例えば、用紙残量８１１と印刷実行画面９００で選択されている印刷ジョブのジョブ情報から用紙切れが発生しないか予測処理を行うことで判別する。また、予測処理を正確に行うために、印刷実行画面９００で選択されている印刷ジョブのデータ内のページ単位で使用する用紙サイズの解析処理を行っておく。
【０１００】
ステップＳ２０７の判別の結果、機器リソースでエラーが発生する可能性がないと判別されたときは（ステップＳ２０７でＮＯ）、上記ステップＳ２０４に戻る。
【０１０１】
一方、ステップＳ２０７の判別の結果、機器リソースでエラーが発生する可能性があると判別されたときは（ステップＳ２０７でＹＥＳ）、以下の処理を行う。すなわち、ジョブ情報表示制御部３０６は、エラーが発生する可能性がある機器リソースをエラー発生機器リソース情報としてＲＡＭ１３０２に記憶し（ステップＳ２０８）、上記ステップＳ２０４に戻る。
【０１０２】
エラー発生機器リソース情報を記憶することにより、例えば、用紙補給のための準備が必要であるという表示情報をジョブの実行に先だって提示することが可能になる。
【０１０３】
ステップＳ２０４に戻り、解析処理の対象となっていないジョブがないと判別されたときは（ステップＳ２０４でＮＯ）、印刷実行画面９００に表示する表示情報を生成する（ステップＳ２０９）。
【０１０４】
この表示情報は、ＲＡＭ１３０２に記憶した利用可能機器リソース情報及びエラー発生機器リソース情報から生成される。
【０１０５】
次いで、ジョブ情報表示制御部３０６は、生成された表示情報を操作部１３０８に表示して（ステップＳ２１０）、本処理を終了する。このステップＳ２０９は、リソースに関するエラーが発生する可能性があると解析されると、当該エラーが発生する可能性があることをユーザに対して明示する明示手段に対応する。また、ステップＳ２０９では、解析された実行中のジョブが利用していないリソースに関する情報をさらに明示する。
【０１０６】
また、ステップＳ２１０により、図１０で示したジョブ状況表示部１００１、及びアドバイス情報１００３が表示される。
【０１０７】
なお、上記ジョブ情報表示処理では、タブレット３０００で機器リソース情報の解析処理を行っているが、タブレット３０００からＭＦＰ１０００へ印刷ジョブのジョブ情報を送信し、ジョブ情報表示制御部１０６で生成された表示情報をＭＦＰ１０００から取得し、それを表示するようにしてもよい。
【０１０８】
図１２のジョブ情報表示処理により、ＭＦＰ１０００で処理中のジョブ情報と、実行予定のジョブのジョブ情報から、実行予定のジョブに影響のある機器リソースの利用状況、想定されるエラー状況、回避策を表示情報として生成することができる。
【０１０９】
その結果、ユーザは、他者によって処理中のジョブが実行予定のジョブに対してどのように影響するかを予め知ることができる。
【０１１０】
また、図１２の処理によれば、まず、取得されたジョブ管理情報、及び画像処理装置に要求するジョブが用いるリソースから、要求するジョブを画像処理装置で実行した際に前記リソースに関するエラーが発生する可能性があるか否かを解析する。そして、リソースに関するエラーが発生する可能性があると解析されると、当該エラーが発生する可能性があることをユーザに対して明示するので、携帯端末が画像処理装置に要求するジョブを実行した際に起こり得る事象をユーザに認識させることが可能となる。
【０１１１】
図１３は、図２におけるＭＦＰ１０００のＣＰＵ１１０１により実行されるジョブ管理情報送信処理の手順を示すフローチャートである。
【０１１２】
図１３において、タブレット３０００から送信されたジョブ管理情報要求を受信する（ステップＳ３０１）。次いで、受信したジョブ管理情報要求に含まれるユーザ情報を用いてユーザ認証処理を行う（ステップＳ３０２）。
【０１１３】
ユーザ認証を終えると、ジョブ情報管理テーブル８００からジョブ管理情報を取得する（ステップＳ３０３）。そして、取得してジョブ管理情報をタブレット３０００に送信して（ステップＳ３０４）、本処理を終了する。このステップＳ３０４は、携帯端末からジョブ管理情報が要求されると、記憶されたジョブ管理情報を、ジョブ管理情報を要求した携帯端末に送信する送信手段に対応する。
【０１１４】
なお、上記ステップＳ３０２において、認証処理が失敗した場合は、当然にジョブ管理情報はタブレット３０００に送信されない。
【０１１５】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１１６】
１００  画像処理システム
１０５，２０５，３０５  ジョブ生成部
１０８  ジョブ制御部
１０６，２０６，３０６  ジョブ情報表示制御部
１０７，２０７，３０７  ユーザ認証部
９００  印刷実行画面
９１１  ジョブ状況画面
１０００  ＭＦＰ
１００３  アドバイス情報
１００１  ジョブ状況表示部
１１０１，１３０１  ＣＰＵ
１１０２，１３０２  ＲＡＭ
１１０５，１３０５  ＲＯＭ
１１０６，１３０６  ＨＤＤ
１１０９，１３０８  操作部
２０００  ＰＣ
３０００  タブレット
【図１】
2013251847.tif 000003
【図２】
2013251847.tif 000004
【図３】
2013251847.tif 000005
【図４】
2013251847.tif 000006
【図５】
2013251847.tif 000007
【図６】
2013251847.tif 000008
【図７】
2013251847.tif 000009
【図８】
2013251847.tif 000010
【図９】
2013251847.tif 000011
【図１０】
2013251847.tif 000012
【図１１】
2013251847.tif 000013
【図１２】
2013251847.tif 000014
【図１３】
2013251847.tif 000015